(57)【要約】      （修正有）【解決手段】連結自在であって、同一形状に形成された連結部材を互いに連結して一方を細紐２，３等で連結対象物に連結し、他方をキャラクター４やアクセサリー等にあらゆる方向に連結できるように構成したストラップ兼アクセサリーである。【効果】あらゆる種類の細紐と太紐、キャラクター、アクセサリー、並びに細紐と細紐とを容易に連結またはキャラクターどうしを着脱できるように構成されているので、その用途は電子器機や袋もの等のストラップや、装飾品の連結やブレスレット、文房具等の連結等の幅広い用途に利用できる。【選択図】図１
2004223224.tif 000002
【特許請求の範囲】
【請求項１】
連結自在であって、同一形状に形成された連結部材を互いに連結し、一方を細紐等で連結対象物に連結し、他方をキャラクターやアクセサリー等に連結できるように構成し、又は着脱自在に構成したことを特徴とするストラップ兼アクセサリー。
【請求項２】
連結部材相互の連結やキャラクターやアクセサリー等の連結又はキャラクターどうしやアクセサリーどうしを、一組又は任意の複数個をあらゆる方向に連結可能とし、又、一本又は複数の細紐を用いて並列に該連結部材相互の連結やキャラクターやアクセサリー等を連結でき、又、連結部材どうしが相互に回転ができるようにも構成したことを特徴とする請求項１記載のストラップ兼アクセサリー。
【請求項３】
連結部材のカバーの形状をあらゆる形状又は任意のキャラクターやアクセサリー又は装飾体に形成可能に構成したことを特徴とする請求項１記載のストラップ兼アクセサリー。
【発明の詳細な説明】
【０００１】
【発明の属する技術分野】
本発明は、ストラップ兼アクセサリーであり、特に連結自在であって、同一形状に形成された連結部材を互いに連結して一方を細紐等で連結対象物に連結し、他方をキャラクターやアクセサリー等をあらゆる方向に連結でき、又、キャラクターどうしやアクセサリーどうしでも連結できるように構成したストラップ兼アクセサリーである。
【０００２】
【従来の技術】
従来、携帯電話用ストラップ等が種々考案されており、その連結構造は例えば実願平１０−５０４４では伸縮自在のリール式のもの、実願平１０−４５７３では装飾性のあるビーズ式のもの、実願平９−８８２６ではクリップ付きのもの、実願平９−４４４９では可動部材を備えたキャラクターを備えたもの等が出願されている。また、実願平１０−４７４７号ではキャラクターの上下に別途に連結部を備えたものが出願されている。更に登録実用新案第３０５６１９４号公報にはキャラクターの上下に雄型と雌型のジョイント部材を設けたものが開示されている。
【０００３】
【発明が解決しようとする課題】
前記せる従来の携帯電話用ストラップ等の連結部材では特に連結部が大きくなって嵩張ってしまう為に目障りなものであり、また、携帯電話用ストラップ等に限らず、ブレスレット等に幅広く利用しようとすれば、該連結部が大きくなって嵩張ってしまう為に美観上も好ましいものではなかった。更にキャラクターの前後に雄型と雌型のジョイント部材があるものではキャラクターと比較してジョイント部材が目障りなものであり、成形用の型も雄型と雌型の二種類の型を必要とするものであった。
【０００４】
【課題を解決するための手段】
本発明は、携帯機器用に限定されないストラップ兼アクセサリーであり、特に連結自在であって、同一形状に形成された連結部材を互いに連結して一方を細紐等で連結対象物に連結し、他方をキャラクターやアクセサリー等をあらゆる方向に連結できるように構成したストラップ兼アクセサリーであり、また、連結部材のカバーの形状をあらゆる形状又は任意のキャラクターやアクセサリー又は装飾体に形成可能に構成したことを特徴とし、その用途は電子器機や小物入れ等のストラップや、装飾品の連結やブレスレット等の連結等の幅広い用途を有するものであり、連結自在であって、同一形状に形成された連結部材を互いに連結し、一方を細紐等で連結対象物に連結し、他方をキャラクターやアクセサリー等に連結できるように構成したことを特徴とし、連結部材相互の連結やキャラクターやアクセサリー等の連結は一組又は任意の複数個をあらゆる方向に連結可能とし、又一本又は複数の細紐を用いて並列に該連結部材相互の連結やキャラクターやアクセサリー等を連結できるように構成したことを特徴とするものである。
【０００５】
【発明の実施の形態】
以下、本発明の実施の形態について図面に基づいて具体的に説明する。
図面に於いて、図１は本発明ストラップ兼アクセサリーの連結状態を示す正面図である。図２は連結部材の斜視図である。図３は図２中のカバーを取り外した状態の斜視図である。図４は本発明ストラップ兼アクセサリーの連結状態を示す正面図である。図５は本発明ストラップ兼アクセサリーの連結状態を示す正面図である。図６は互いの部材を回転自在にした状態の斜視図である。図７は図６の部分分解斜視図である。図８（ａ）〜（ｄ）は連結部材の連結手順説明図である。図９は連結部材が分離した状態の他の実施例を示す本発明ストラップ兼アクセサリーの拡大正面図である。図１０は本発明ストラップ兼アクセサリーの他の連結組合せ状態を示す正面図である。
【０００６】
本発明ストラップ兼アクセサリーは、図面では携帯機器に連結した一例を表示しているが、本発明ストラップ兼アクセサリーは携帯機器用に限定されるものではなく、あらゆる連結対象物に対して連結可能なものである。
【０００７】
図１に示すようにキャラクターの内に連結部材が収納され、連結自在であって、同一形状に形成された連結部材Ａ、Ａを互いに連結し、一方を細紐２等で携帯機器１に連結し、他方を細紐３を介してキャラクター４に接続して使用するストラップ兼アクセサリーである。
【０００８】
また、図４に示すように、キャラクター４の下方に太紐８が付いた連結部材をを連結することで手または首などに引っ掛けられるものであり、図５に示すように、キャラクター４の下方に更に細紐３を延長し、該細紐３に連結部材Ａ、Ａを介して太紐８を連接することもでき、図１及び図９に示すように、キャラクター４内に連結部材Ａを収納固定して使用することもでき、図１０に示すようにキャラクター４の下方に取り付けた細紐３の他端に連結部材Ａを固定し、これに同一形状の連結部材Ａを連結して他のキャラクターやアクセサリー等を一組又は複数個をあらゆる方向に連結でき、更に、図示はしていないが、一本又は複数の細紐３を並列に設けて一組又は複数個のキャラクターやアクセサリー等を連結できるものであり、使用者の好みに合わせて多様な連結状態を形成することができるものである。
【０００９】
図９では連結部材Ａに鎖１５とクリップ１４を設け、携帯機器のみならず、他の用途に使用できる構成を図示しており、その他の用途としては本発明ストラップ兼アクセサリーに使用している連結部材Ａ、Ａは、その組合せによりベルトや袋物やファスナー又はネックレスやブレスレット、文房具等にも応用できるものである。
【００１０】
すなわち、本発明ストラップ兼アクセサリーは連結部材相互の連結やキャラクター等の連結は一組又は任意の複数個をあらゆる方向に連結可能とし、又、一本又は複数の細紐を用いて並列に該連結部材相互の連結やキャラクターやアクセサリー等を多様に連結できるように構成したことを特徴とし、これに用いる連結部材Ａ、Ａの組合せはその用途が非常に広いものである。
【００１１】
連結部材Ａ、Ａの一例を連結する手順について以下に説明する。
先ず図８（ａ）に示すように、連結部材Ａの係合凸部４１１を連結部材Ａの係合凹部４５とガイド４４の間に合わせる。すると図示しない反対側に位置する連結部材Ａの係合凸部も係合凹部とガイド４４の間に位置するようになる。そして図８（ｂ）に示すように、そのまま連結部材Ａ、Ａを近づけると係合凸部４１１は係合凹部４５とガイド４４に案内されて挿入される。
【００１２】
次いで、図８に基づき連結部材Ａ、Ａの相互の連結手順について説明する。
図８（ｃ）に示すように、係合凸部４１１を基台５の根元まで挿入すると、係合凸部４１１の突起４３１が相手側の溝４７に嵌入される。そしてこの状態で互いの連結部材Ａ、Ａを回転させると、図８（ｄ）に示すように、溝４７の奥まで簡単に外れないようになる。
【００１３】
すなわち、図２に示すように、カバー７内に収納された基台５と係合部５１、５２は一体的に同一形状で形成されており、また、図３はカバー７を取り外した斜視図を示しており、両方の連結部材Ａ、Ａを嵌着して回動すれば用意に連結することができる。また、図２では挿通孔６に二本の細紐２、２及び細紐３、３が挿通されているが、一本乃至複数本の細紐２乃至細紐３を取り付けることができ、使用者が連結状態を自在に選択することができる。また、カバー７はあらゆる形状に形成できるので多様な用途に供することができる。
【００１４】
図６は嵌着自在の部材７１、７２が示されており、図７はその一部分解状態を示している。即ち、部材７１には部材７２より経の小さい突起支持部７３が形成されており、突起７４が一体的に形成されている。部材７２の内側には溝７５が形成されており、部材７１を部材７２に嵌着すると、該突起７４は溝７５内で摺動可能であるので、部材７１と部材７２は回転が可能になっている。
部材７１と部材７２は回動が可能であり、この場合細紐の捩れが緩和される。
【００１５】
【発明の効果】
本発明のストラップ兼アクセサリーは以上説明したように、あらゆる種類の細紐と太紐、キャラクター、アクセサリー、並びに細紐と細紐とを容易に連結またはキャラクターどうしを着脱できるように構成されているので、その用途は電子器機や袋もの等のストラップや、装飾品の連結やブレスレット、文房具等の連結等の幅広い用途に利用できる。
【図面の簡単な説明】
【図１】本発明ストラップ兼アクセサリーの連結状態を示す正面図である。
【図２】連結部材の斜視図である。
【図３】図２中のカバーをキャラクターとした斜視図である。
【図４】本発明ストラップ兼アクセサリーの連結状態を示す正面図である。
【図５】本発明ストラップ兼アクセサリーの連結状態を示す正面図である。
【図６】図２中のカバーを回転自在にした状態の斜視図である。
【図７】図６の部分分解斜視図である。
【図８】（ａ）連結部材の連結手順説明図である。
【図８】（ｂ）連結部材の連結手順説明図である。
【図８】（ｃ）連結部材の連結手順説明図である。
【図８】（ｄ）連結部材の連結手順説明図である。
【図９】連結部材が分離した状態の他の実施例を示す本発明ストラップ兼アクセサリーの拡大正面図である。
【図１０】本発明ストラップ兼アクセサリーの他の連結組合せ状態を示す正面図である。
【符号の説明】
１．携帯機器
２．細紐
３．細紐
４．キャラクター
５．基台
５１．係合部
５２．係合部
６．挿通孔
７．カバー
７１．部材
７２．部材
７３．突起支持部
７４．突起
７５．溝
８．太紐
１３．挿通孔
１４．クリップ
１５．鎖
４４．ガイド
４５．係合凹部
４１１．係合凸部
４２１．係合突起
４３１．突起
４７．溝
Ａ．連結部材
【図１】
2004223224.tif 000003
【図２】
2004223224.tif 000004
【図３】
2004223224.tif 000005
【図４】
2004223224.tif 000006
【図５】
2004223224.tif 000007
【図６】
2004223224.tif 000008
【図７】
2004223224.tif 000009
【図８】
2004223224.tif 000010
【図９】
2004223224.tif 000011
【図１０】
2004223224.tif 000012